(57)【特許請求の範囲】
【請求項１】
ドアの上部に設けられ、該ドアを自動的に閉めるように構成されたドアクローザであって、
室内と室外を通気するために該ドアの上部に設けられた通気孔を覆う通気部を有し、
該通気部を介して室内と室外の通気が行われることを特徴とするドアクローザ。
【請求項２】
該通気部は、室内と室外の通気が可能な通気状態と、室内と室外の通気が不能な遮蔽状態とに切り替える遮蔽部材を備えることを特徴とする請求項１に記載のドアクローザ。
【請求項３】
該遮蔽部材には使用者の操作と連動して該遮蔽部材を作動させる連動手段が取り付けられ、
該連動手段によって該遮蔽部材が通気状態と、遮蔽状態とに切り替えられることを特徴とする請求項２に記載のドアクローザ。
【請求項４】
該ドアクローザはベースを有し、
該ベース及び該遮蔽部材のうちのいずれか一方は磁性体金属とされ、いずれか他方には該遮蔽部材を遮蔽状態に保持する磁石が設けられ、
該磁石により、該遮蔽部材が室内と室外の差圧に応じて通気状態と、遮蔽状態とに自動的に切り替えられることを特徴とする請求項２に記載のドアクローザ。
【発明の詳細な説明】
【技術分野】
【０００１】
本発明は、室内と室外の圧力差による影響を低減するためのドアに設けられるドアクローザの改良に関するものである。
【背景技術】
【０００２】
例えば気密性の高い部屋において、換気の為に室内の空気を排出するなどした場合、室内と室外で気圧差が生じ、その差圧によってドアが開きにくくなるという問題がある。
【０００３】
こうした差圧による問題を解決するものとして、下記特許文献１にはドアの下部に室内と室外を連通する通気孔を設ける構成が開示されている。
【０００４】
この構成によれば、通気によって室内と室外の気圧差を小さくでき、ドアをスムーズに開閉することができる。しかし、ドアの下部に通気孔が設置されているので地表の粉塵が通気と共に室内に侵入するという問題がある。
【先行技術文献】
【特許文献】
【０００５】
【特許文献１】特開２００２−２７２８６６号公報
【発明の概要】
【発明が解決しようとする課題】
【０００６】
それゆえに本発明は上記従来の問題点に鑑みてなされ、室内と室外を連通する通気孔から、通気時に地表の粉塵が室内に侵入することを防止できるドアクローザを提供することを課題とする。
【課題を解決するための手段】
【０００７】
ドア１０４の上部に設けられ、該ドア１０４を自動的に閉めるように構成されたドアクローザ１であって、室内１２１と室外１２０を通気するために該ドア１０４の上部に設けられた通気孔１０４ａを覆う通気部Ａ、Ｂ、Ｃを有し、該通気部Ａ、Ｂ、Ｃを介して室内１２１と室外１２０の通気が行われることを特徴とする。
【０００８】
該通気部Ａ、Ｂ、Ｃは、室内１２１と室外１２０の通気が可能な通気状態と、室内１２１と室外１２０の通気が不能な遮蔽状態とに切り替える遮蔽部材６０、７０、９０を備えることが好ましい。
【０００９】
該遮蔽部材７０には使用者の操作と連動して該遮蔽部材を作動させる連動手段８０が取り付けられ、該連動手段８０によって該遮蔽部材７０が通気状態と、遮蔽状態とに切り替えられることが好ましい。
【００１０】
該ドアクローザ１はベース５を有し、該ベース５及び該遮蔽部材９０のうちのいずれか一方は磁性体金属とされ、いずれか他方には該遮蔽部材９０を遮蔽状態に保持する磁石９２が設けられ、該磁石９２により、該遮蔽部材９０が室内１２１と室外１２０の差圧に応じて通気状態と、遮蔽状態とに自動的に切り替えられることが好ましい。
【発明の効果】
【００１１】
以上のように本発明に係るドアクローザにあっては、室内と室外を連通する通気孔から、通気時に地表の粉塵が室内に侵入することを防止できる。
【図面の簡単な説明】
【００１２】
【図１】本発明の第１実施形態におけるドアクローザをドアに取り付けた状態の平面図を示す。
【図２】本発明の第１実施形態におけるドアクローザをドアに取り付けた状態の正面図を示す。
【図３】図２の矢視Ｗ―Ｗにおける概略断面図を示す。
【図４】本発明の第１実施形態におけるドアクローザのベースを示し、（ａ）は平面図、（ｂ）は正面図を示す。
【図５】本発明の第１実施形態におけるドアクローザのドアクローザ本体、カバー部材、目隠し部材、遮蔽部材の分解平面図である。
【図６】図５の矢視Ｖにおける側面図を示す。
【図７】図２の矢視Ｘ―Ｘにおける概略断面図を示す。
【図８】本発明の第２実施形態におけるドアクローザをドアに取り付けた状態で、リンク機構を省略した平面図を示す。
【図９】図８の矢視Ｙ―Ｙにおける概略断面図を示す。
【図１０】本発明の第２実施形態におけるドアクローザのドアノブ連動手段の概略正面図を示す。
【図１１】本発明の第３実施形態におけるドアクローザをドアに取り付けた状態で、リンク機構を省略した平面図を示す。
【図１２】図１１の矢視Ｚ―Ｚにおける概略断面図を示す。
【図１３】本発明の第３実施形態におけるドアクローザのベースを示し、（ａ）は平面図、（ｂ）は正面図を示す。
【図１４】本発明の第１〜第３実施形態におけるドアクローザの通気部及び通気孔を拡張した変形例の正面図を示す。
【発明を実施するための形態】
【００１３】
以下、まず本発明の第１実施形態にかかるドアクローザ１を図１〜図７に基づき説明する。
【００１４】
図１〜図３において、１０１は建物のドア開口部を示し、該ドア開口部１０１は、上枠１０２、左右の一対の縦枠１０３及び下枠（図示せず）で矩形に囲まれた空間で構成され、ドア１０４が上記ドア開口部１０１を開閉可能にヒンジ１０５を介して一方の縦枠１０３に取り付けられている。ドア１０４は、ドアクローザ１により開状態から自動的に閉まるようになっている。
【００１５】
ドアクローザ１は、左開き（左勝手）のパラレル形タイプであり、ドアクローザ本体２と、カバー部材３とを備えている。ドアクローザ本体２は、作動油（図示せず）が充填された密閉空間（図示せず）を有するハウジング４を備え、該ハウジング４は、図５及び図６に示すように、ベース５及び取付金具６を介してドア１０４上端に取り付けられている。
【００１６】
ベース５は、図４に示すように、ベース上面壁５ａ、ベース下面壁５ｂ、ベース側面壁５ｃ、５ｄ、ベース正面壁５ｅ及びベース背面壁５ｆの６面で直方体形状に形成されている。ベース正面壁５ｅの左端寄りには、取付金具６を取り付けるためのネジ挿通孔５ｇが上下に２個ずつ貫通形成されている。ベース側面壁５ｃ、５ｄには、カバー部材３を取り付けるためのネジ穴５ｈが１個ずつ穿設されている。また、このベース５はハウジング４が取付けられた際にはベース上面壁５ａ、ベース下面壁５ｂ及びベース側面壁５ｄが後述するハウジング４の上面壁９、下面壁１０及び側面壁１１ｂと面一になるよう形成され、ベース側面壁５ｃのみハウジング４の側面壁１１ａから延出するような形状をしている。そして、その延出している部分には、ベース正面壁５ｅからベース背面壁５ｆを貫通する矩形の通気孔５ｉが設けられている。
【００１７】
取付金具６は、図５に示すように、一端（図５左端）にＵ字状の引掛部６ａが形成されているとともに、他端（図５右端）に起き上がった取付片部６ｂが形成され、該取付片部６ｂには、ハウジング４を取り付けるためのネジ孔６ｃが上下に２個貫通形成されている（図６参照）。また、この取付金具６の両端寄りには、ネジ挿通孔６ｄがベース５の各ネジ挿通孔５ｇに対応するように上下に２個ずつ貫通形成されている。
【００１８】
ハウジング４は、図５及び図６に示すように、正面壁７、背面壁８、上面壁９、下面壁１０及び側面壁１１ａ、１１ｂの６面で直方体形状に形成され、背面壁８側には、上面壁９、下面壁１０及び側面壁１１ａ、１１ｂで囲まれた凹陥部１２が形成されている。また、該凹陥部１２の一端側（図５左端側）には、掛止ピン１３が上面壁９と下面壁１０とに上下に橋絡されて配設されている。さらに、上記側面壁１１ａには、ネジ挿通孔１１ｃが上下に２個貫通形成されている（図６参照）。
【００１９】
そして、ドアクローザ本体２をドア１０４上端の内側に取り付けるには、図５及び図６に示すように、まず、ベース５に取付金具６を重ねてドア１０４上端に配置し、ネジ１４を取付金具６の４個のネジ挿通孔６ｄとベース５の４個のネジ挿通孔５ｇに挿通してドア１０４内部の取付板１０６にねじ込むことで、ベース５及び取付金具６をドア１０４上端に取り付ける。
【００２０】
次いで、ドアクローザ本体２を取付金具６の正面に配置し、取付金具６の引掛部６ａをハウジング４の掛止ピン１３に引っ掛けて取付金具６をハウジング４の凹陥部１２に配置する。この状態から、ネジ１５をハウジング４の２個のネジ挿通孔１１ｃと取付金具６の２個のネジ孔６ｃに螺合させることで、ドアクローザ本体２をベース５及び取付金具６を介してドア１０４上端に取り付ける。
【００２１】
ハウジング４の内部には、ドア１０４の開動作により力を蓄え、蓄えた力をドア１０４の閉動作に使用する図示しない付勢力発生手段が設けられている。該付勢力発生手段には、回転軸２５がハウジング４を上下に貫挿するように回転一体に連結されており、回転軸２５は図１において時計方向に回転する時に閉じ力が蓄積されるように構成されている。また、該回転軸２５の下端には、ハウジング４から突出する部分を覆い隠す円筒形のカップ２９が設けられている。
【００２２】
図１〜図３に示すように、回転軸２５の上端には、リンク機構３０の一端が連結されるとともに、該リンク機構３０の他端は建物のドア開口部１０１の上枠１０２側に連結されている。具体的には、リンク機構３０は、メインアーム３１と連結アーム３２とからなり、メインアーム３１の一端が回転軸２５の上端に回転不能に連結され、該メインアーム３１の他端には、連結アーム３２の一端が軸３４周りに回転自在に連結されている。一方、ドア開口部１０１の上枠１０２には、ステー３５の基端が４個のネジ３６を上枠１０２内部の取付板１０７にねじ込むことで取り付けられており、該ステー３５の先端には連結アーム３２の他端が軸３７周りに回転自在に連結されている。
【００２３】
そして、図１において、ドア１０４をヒンジ１０５を中心に反時計回りに開操作すると、その回転動作がリンク機構３０を介して回転軸２５に伝達されて該回転軸２５が時計回りに回転する。これにより、付勢力発生手段にドア１０４が閉方向に移動する力が蓄積されながら開かれる。ドア１０４から手を離すと、付勢力発生手段に蓄積された閉じ力が解放されることにより、回転軸２５が反時計回りに回転し、この回転力がリンク機構３０に伝達されてドア１０４が時計回りに自動的に閉まる。
【００２４】
図５及び図６に示すように、カバー部材３は、カバー上面壁４０、カバー下面壁４１、カバー側面壁４２、４３及びカバー正面壁４４の５面で形成されている。このとき、カバー上面壁４０、カバー下面壁４１及びカバー側面壁４２、４３の内壁で囲まれた開口部３ｄはベース５を収容可能な大きさを有している。
【００２５】
また、カバー部材３の内部には、カバー上面壁４０、カバー下面壁４１及びカバー正面壁４４と内接し、ベース５のベース正面壁５ｅと当接するように仕切壁４５が形成されている。そして、カバー上面壁４０、カバー下面壁４１、カバー側面壁４３及び仕切壁４５の内壁で囲まれた第一空間部３ｅにはドアクローザ本体２のハウジング４が挿入可能となっている。
【００２６】
カバー上面壁４０の回転軸２５に対応する箇所には、回転軸２５の上端との干渉を避けるＵ字状の切欠部４０ａがドア１０４側の端縁から切り欠かれて形成され、該切欠部４０ａを除くカバー上面壁４０がハウジング４の上面壁９とベース５のベース上面壁５ａを覆うようになっている。
【００２７】
カバー下面壁４１のカップ２９に対応する箇所には、カップ２９との干渉を避けるＵ字状の切欠部４１ａがドア１０４側の端縁から切り欠かれて形成され、該切欠部４１ａを除くカバー下面壁４１がハウジング４の下面壁１０とベース５のベース下面壁５ｂを覆うようになっている。
【００２８】
カバー側面壁４２、４３は、ハウジング４の側面壁１１ａ、１１ｂとベース５のベース側面壁５ｃ、５ｄを覆っている。また、このカバー側面壁４２、４３のドア１０４寄りには、ネジ挿通孔４２ａが上記ベース５のネジ穴５ｈに対応するように１個ずつ貫通形成されている。
【００２９】
図６に示すように、カバー正面壁４４は、カバー上面壁４０とカバー下面壁４１を繋いで反ドア１０４側に円弧状に突出するように形成されている。そして、ハウジング４の正面壁７とベース５のベース正面壁５ｅを覆うようになっている。また、図２に示すように、カバー正面壁４４の右側（カバー側面壁４２側）には、複数のスリット状の通気孔４４ａが左右方向に延びるように形成されている。
【００３０】
このように構成されたカバー部材３は、上述の如くドアクローザ本体２がドア１０４に取り付けられた状態で、開口部３ｄをハウジング４の正面壁７及びベース５のベース正面壁５ｅに向けてドアクローザ本体２をカバー部材３内に挿入し、ネジ４６をネジ挿通孔４２ａに挿通してベース５のネジ穴５ｈに螺合させることで、ドアクローザ本体２のほぼ全体を覆った状態で取り付けられるようになっている。
【００３１】
次に、通気部Ａの構成について図５〜図７に基づき詳しく説明する。図５〜図７に示すように、通気部Ａは、ベース５に設けられた通気孔５ｉと、カバー正面壁４４に設けられた通気孔４４ａと、カバー部材３内に設けられた遮蔽部材６０とによって構成される。ドア１０４の上部に設けられた通気孔１０４ａの室内１２１側の一端は該通気部Ａにより覆われており、室外１２０側の他端は目隠し部材５０により覆われている。
【００３２】
目隠し部材５０は通気孔１０４ａを覆う板状の矩形部材であり、複数のスリット状の通気孔５１を備えている。目隠し部材５０のドア１０４に対向する面には複数の爪５２が設けられており、この爪５２を通気孔１０４ａの内壁に圧入することで取付けを行う。また、爪５２には凹部５３が設けられており、凹部５３には通気性を有するフィルタ５４が通気孔５１を覆うように配置されている。
【００３３】
遮蔽部材６０は、カバー上面壁４０、カバー下面壁４１、カバー側面壁４２、カバー正面壁４４及び仕切壁４５で囲まれた第二空間部３ｆに配置されている。遮蔽部材６０は、円弧状の板材である正面壁６１と、正面壁６１の両端側面に設けられた扇状の板材である側面壁６２、６３によって構成されている。正面壁６１にはスリット状の複数の通気孔６４が設けられ、側面壁６２、６３を貫通するように回転軸６５が一体に設けられている。回転軸６５は、カバー側面壁４２と仕切壁４５に係脱不能に軸支されており、カバー側面壁４２側の一端には操作ツマミ６６が一体に設けられている。したがって操作ツマミ６６を回転操作することで、遮蔽部材６０は回転軸６５を中心に回動することができる。
【００３４】
遮蔽部材６０の円弧状の正面壁６１は、同じく円弧状のカバー正面壁４４と同じ曲率で形成されており、回転軸６５を中心にカバー正面壁４４の内壁と摺動するように構成されている。また、遮蔽部材６０の通気孔６４とカバー正面壁４４の通気孔４４ａは同形状の複数のスリット状の通気孔であり、それらが同間隔で配置されていることから、図７（ａ）の状態では通気孔が互い違いの位置関係になるので室内１２１と室外１２０の通気が不能な遮蔽状態、図７（ｂ）の状態では通気孔が連通する位置関係になるので室内１２１と室外１２０の通気が可能な通気状態となる。
【００３５】
仕切壁４５には、位置規制ピン６７、６８が設けられている。位置規制ピン６７、６８は、それぞれ遮蔽部材６０の側面壁６３の端面に当接するように設置され、位置規制ピン６７に当接するときには遮蔽状態（図７（ａ））、位置規制ピン６８に当接するときには通気状態（図７（ｂ））になるよう、遮蔽部材６０の回動を制限している。このため操作ツマミ６６の操作量に制限がかかる。
【００３６】
また、操作ツマミ６６は図示しない保持手段により、遮蔽部材６０を遮蔽位置と、通気位置とに保持することができる。
【００３７】
以上、第１実施形態のドアクローザ１の基本構成を説明した。次に図５〜図７を用いて、第１実施形態のドアクローザ１における通気部Ａの作用について説明する。
【００３８】
室外１２０が高圧で室内１２１が低圧であるとき、差圧によりドア１０４には室内１２１方向への力がかかるためドア１０４を開放しにくい状態となる。その場合、図７（ａ）の状態から操作ツマミ６６を操作し、図７（ｂ）の通気状態とすると、目隠し部材５０の通気孔５１、ドア１０４の通気孔１０４ａ、ベース５の通気孔５ｉを介して、室外１２０と室内１２１が連通する。室外１２０と室内１２１が通気状態となることで、高圧側である室外１２０から低圧側である室内１２１に空気が流れ、室内外の差圧が小さくなる。このため、ドア１０４にかかっていた差圧による力が減り、ドア１０４の開放が容易になる。
【００３９】
ここで、ドア１０４の上部に設けられるドアクローザ１がドア１０４の通気孔１０４ａを覆う通気部Ａを有しているので、通気時に地表の粉塵が室内１２１へ侵入することを防止することができる。
【００４０】
次に、本発明の第２実施形態にかかるドアクローザ１を図８〜図１０に基づき説明する。尚、本発明の第２実施形態は通気部Ａに関する構成のみが第１実施形態と相違する。従って、第１実施形態と同一又は類似する部材については同一符号を付してその説明は省略する。
【００４１】
通気部Ｂの構成について図８〜図１０に基づき詳しく説明する。図８〜図１０に示すように、通気部Ｂは、ベース５に設けられた通気孔５ｉと、カバー正面壁４４に設けられた通気孔４４ａと、カバー部材３内に設けられた遮蔽部材７０とによって構成される。ドア１０４に設けられた通気孔１０４ａの室内１２１側の一端は該通気部Ｂにより覆われており、室外１２０側の他端は目隠し部材５０により覆われている。
【００４２】
遮蔽部材７０は、カバー上面壁４０、カバー下面壁４１、カバー側面壁４２、カバー正面壁４４及び仕切壁４５で囲まれた第二空間部３ｆに配置されている。遮蔽部材７０は、円弧状の板材である正面壁７１と、正面壁７１の両端側面に設けられた扇状の板材である側面壁７２、７３によって構成されている。正面壁７１にはスリット状の複数の通気孔７４が設けられ、側面壁７２、７３を貫通するように回転軸７５が一体に設けられている。回転軸７５は、カバー側面壁４２と仕切壁４５に係脱不能に軸支されている。側面壁７３にはワイヤ取付部７６が設けられており、ワイヤ取付部７６にはワイヤ８１が取付けられている。ワイヤ８１は後述するドアノブ連動手段８０により操作可能であり、遮蔽部材７０は回転軸７５を中心に回動することができる。
【００４３】
遮蔽部材７０の円弧状の正面壁７１は、同じく円弧状のカバー正面壁４４と同じ曲率で形成されており、回転軸７５を中心にカバー正面壁４４の内壁と摺動するように構成されている。また、遮蔽部材７０の通気孔７４とカバー正面壁４４の通気孔４４ａは、同形状の複数のスリット状の通気孔であり、それらが同間隔で配置されていることから、図９（ａ）の状態では通気孔が互い違いの位置関係になるので室内１２１と室外１２０の通気が不能な遮蔽状態、図９（ｂ）の状態では通気孔が連通する位置関係になるので室内１２１と室外１２０の通気が可能な通気状態となる。
【００４４】
仕切壁４５には、位置規制ピン６７、６８が設けられている。位置規制ピン６７、６８は、それぞれ遮蔽部材７０の側面壁７３の端面に当接するように設置され、位置規制ピン６７に当接するときには遮蔽状態（図９（ａ））、位置規制ピン６８に当接するときには通気状態（図９（ｂ））になるよう、遮蔽部材７０の回動を制限している。また、図９において、遮蔽部材７０には自重により常に回転軸７５を中心に反時計回りに回動する力がかかっており、通常は位置規制ピン６７に当接する遮蔽状態を維持している。
【００４５】
ドアノブ連動手段８０は、遮蔽部材７０に取付けられるワイヤ８１と、該ワイヤ８１を案内するプーリ８２、８３と、ワイヤ８１を操作するドアノブ８４とで構成されている。
【００４６】
ワイヤ８１は、その一端が遮蔽部材７０の側面壁７３に設けられたワイヤ取付部７６に取り付けられ、プーリ８２、８３を介してドア１０４内の図示しない空間を案内され、他端がドアノブ８４の軸心に一体に設けられたワイヤ取付部８５に取付けられている。
【００４７】
プーリ８２は、ドア１０４の通気孔１０４ａ内の上枠１０２側の面から延出する軸８２ａに回転可能に軸支される。プーリ８２はワイヤ８１を図８における図面右側へ案内する。
【００４８】
プーリ８３は、図１０において、ドア１０４内部の図示しない空間に設けられ、室外１２０側から室内１２１側方向に設けられる図示しない軸によって回転可能に軸支される。プーリ８３は、プーリ８２によって案内されたワイヤ８１を図１０における図面下側へ案内する。
【００４９】
ドアノブ８４は、ドア１０４に回動可能に支持されており、ドア１０４の図１０右端側から出没可能とされた図示しない錠片と連動している。この錠片は、ドア１０４が閉鎖された際には図１０右側の縦枠１０３に形成された錠穴と嵌合し、ドア１０４は回動不能となって施錠された状態となる。ドアノブ８４を図１０において時計回りに回動させると、錠片がドア１０４内に埋没し、ドア１０４は解錠されて開放可能となる。このドアノブ８４は、図示しない付勢力発生手段によって、通常は反時計回り、すなわち施錠側に付勢されている。ドアノブ８４には、ドアノブ８４と一体に回動するワイヤ取付部８５が設けられており、プーリ８３によって案内されたワイヤ８１が取付けられている。このとき、ワイヤ８１は、ドアノブ８４が時計回りへ回動すると引き寄せられる方向へ動き、ドアノブ８４が反時計方向へ回動すると押し出される方向へ動くように構成されている。
【００５０】
ワイヤ８１の一端は遮蔽部材７０に取付けられ、他端はドアノブ８４に取付けられていることから、ドアノブ８４の回動に応じて遮蔽部材７０が連動するように構成されている。ドアノブ８４が反時計回り（施錠状態）に付勢されている間は、ワイヤ８１は押し出された状態であるので、遮蔽部材７０は遮蔽状態（図９（ａ））を維持する。ドアノブ８４が時計回り（解錠状態）に回動している間は、ワイヤ８１が引き寄せられるので、遮蔽部材７０は通気状態（図９（ｂ））になる。また、ドアノブ８４が時計回りに回動した状態から、反時計回りに付勢された状態に戻ると、ワイヤ８１は再び押し出され、遮蔽部材７０は自重により遮蔽状態へ戻るように構成されている。
【００５１】
以上、第２実施形態のドアクローザ１の基本構成を説明した。次に図８〜図１０を用いて、第２実施形態のドアクローザ１における通気部Ｂの作用について説明する。
【００５２】
室外１２０が高圧で室内１２１が低圧であるとき、差圧によりドア１０４には室内１２１方向への力がかかるためドア１０４を開放しにくい状態となる。ドアノブ８４を時計回り（解錠状態）に回動させると、ドアノブ連動手段８０の作用により図９（ａ）から図９（ｂ）の状態となり、通気孔４４ａと通気孔７４が連通し、目隠し部材５０の通気孔５１、ドア１０４の通気孔１０４ａ、ベース５の通気孔５ｉを介して、室外１２０と室内１２１が連通する。室外１２０と室内１２１が通気状態となることで、高圧側である室外１２０から低圧側である室内１２１に空気が流れ、室内外の差圧が小さくなる。このため、ドア１０４にかかっていた差圧による力が減り、ドア１０４の開放が容易になる。
【００５３】
ここで、ドア１０４の上部に設けられるドアクローザ１が通気部Ｂを有しているので、通気時に地表の粉塵が室内１２１へ侵入することを防止することができる。
【００５４】
また、遮蔽部材７０がドアノブ８４と連動するため、使用者は意識せずに差圧を解消でき、ドア１０４の開閉時以外は室内１２１の気密性を保つことができる。
【００５５】
次に、本発明の第３実施形態にかかるドアクローザ１を図１１〜図１３に基づき説明する。尚、本発明の第３実施形態は通気部Ａに関する構成のみが第１実施形態と相違する。従って、第１実施形態と同一又は類似する部材については同一符号を付してその説明は省略する。
【００５６】
通気部Ｃの構成について図１１〜図１３に基づき詳しく説明する。図１１〜図１３に示すように、通気部Ｃは、ベース５に設けられた通気孔５ｉと、カバー正面壁４４に設けられた通気孔４４ａと、カバー部材３内に設けられた遮蔽部材９０とによって構成される。ドア１０４に設けられた通気孔１０４ａの室内１２１側の一端は該通気部Ｃにより覆われており、室外１２０側の他端は目隠し部材５０により覆われている。
【００５７】
遮蔽部材９０は、カバー上面壁４０、カバー下面壁４１、カバー側面壁４２、カバー正面壁４４及び仕切壁４５で囲われた第二空間部３ｆに配置されている。遮蔽部材９０は、ベース５の通気孔５ｉを覆うように磁性体金属で形成された板状の矩形部材であり、図１３上側の一端には回転軸９１が一体に設けられている。回転軸９１はカバー側面壁４２と仕切壁４５に係脱不能に軸支されている。したがって遮蔽部材９０は回転軸９１を中心に回動することができる。また、遮蔽部材９０は通常は自重によりベース５の通気孔５ｉを覆うように位置している（図１３（ａ））。
【００５８】
ベース５には、図１２に示すように、通気孔５ｉの下側にベース正面壁５ｅと面一になるように二つの円筒形の磁石９２が保持手段として係脱不能に埋め込まれている。磁石９２は遮蔽部材９０の回転軸９１を備える側とは反対側の一端と当接するように配置されている。つまり磁性体金属である遮蔽部材９０は、ベース５の通気孔５ｉを覆う遮蔽状態で磁石９２の磁力に引き寄せられるように保持される（図１３（ａ））。
【００５９】
通気部Ｃは通常は遮蔽部材９０がベース５の通気孔５ｉを覆っているため室内１２１と室外１２０の通気が不能な遮蔽状態（図１３（ａ））であるが、遮蔽部材９０に磁石９２の磁力を超えて回転軸９１を中心に時計回りに回動する力がかかった場合には室内１２１と室外１２０の通気が可能な通気状態（図１３（ｂ））となる。よって、遮蔽部材９０が回動を開始する差圧は、磁石９２の磁力の強弱によって調整できる。
【００６０】
以上、第３実施形態のドアクローザ１の基本構成を説明した。次に図１１〜図１３を用いて、第３実施形態のドアクローザ１における通気部Ｃの作用について説明する。
【００６１】
室外１２０が高圧で室内１２１が低圧であるとき、差圧によりドア１０４には室内１２１方向への力がかかるためドア１０４を開放しにくい状態となる。該差圧は遮蔽部材９０にもかかっており、その力は図１２において遮蔽部材９０が回転軸９１を中心に時計方向に回動する方向にかかっている。該差圧が遮蔽部材９０を保持している磁石９２の磁力を超えると、遮蔽部材９０は差圧によって空気に押される形で回転軸９１を中心に時計回りに回動し、ベース５の通気孔５ｉが開放されて通気部Ｃは自動的に通気状態となる。室外１２０と室内１２１が通気状態となることで、高圧側である室外１２０から低圧側である室内１２１に空気が流れ、室内外の差圧が小さくなる。このため、ドア１０４にかかっていた差圧による力が減り、ドア１０４の開放が容易になる。
【００６２】
そして、ある程度差圧が小さくなると遮蔽部材９０を時計回りに回動させる力も小さくなり、遮蔽部材９０は自重により反時計方向に回動する。そして再び磁石９２の磁力によって保持される状態に戻るため、通気部Ｃは自動的に遮蔽状態となる。よって通気部Ｃはドア内外の差圧に応じて自動的に通気状態と遮蔽状態とに切り替えられる。
【００６３】
ここで、ドア１０４の上部に設けられるドアクローザ１に通気部Ｃを有していることから、通気時に地表の粉塵が室内１２１へ侵入することを防止できる。
【００６４】
以上、本発明の好適な実施形態について説明したが、本発明の技術的範囲は上記実施形態に記載の範囲には限定されない。上記実施形態には、多様な変更又は改良を加えることが可能である。
【００６５】
例えば、本発明の第１〜第３実施形態において、通気部Ａ〜Ｃはカバー部材３に設けられていたが、通気部をドアクローザ本体２のハウジング４に設けるようにしてもよい。
【００６６】
また、本発明の第１〜第３実施形態において、遮蔽部材６０、７０、９０を通気状態と遮蔽状態とに切り替える手段として、操作ツマミ６６、ドアノブ連動手段８０及び磁石９２が設けられていたが、遮蔽部材を作動させることができるのであればこれら以外の手段であってもよい。例えば、サムターンやレバーなどを連動手段として遮蔽部材に接続し、遮蔽部材が作動するようにしてもよい。
【００６７】
また、本発明の第１〜第３実施形態において、通気部Ａ〜Ｃ及びそれに対応する各通気孔はドアクローザ本体２よりも短く形成されていたが、図１４に示すように、通気量を増やすためドア１０４の幅方向に拡張するなどしてもよい。
【００６８】
また、本発明の第３実施形態において、遮蔽部材９０を磁性体金属としベース５に磁石９２を設ける形にしていたが、遮蔽部材９０に磁石を設けベース５を磁性体金属とするようにしてもよい。
【符号の説明】
【００６９】
１        ：ドアクローザ
２        ：ドアクローザ本体
３        ：カバー部材
３ｄ      ：開口部
３ｅ      ：第一空間部
３ｆ      ：第二空間部
４        ：ハウジング
５        ：ベース
５ａ      ：ベース上面壁
５ｂ      ：ベース下面壁
５ｃ      ：ベース側面壁
５ｄ      ：ベース側面壁
５ｅ      ：ベース正面壁
５ｆ      ：ベース背面壁
５ｇ      ：ネジ挿通孔
５ｈ      ：ネジ穴
５ｉ      ：通気孔
６        ：取付金具
６ａ      ：引掛部
６ｂ      ：取付片部
６ｃ      ：ネジ孔
６ｄ      ：ネジ挿通孔
７        ：正面壁
８        ：背面壁
９        ：上面壁
１０      ：下面壁
１１ａ    ：側面壁
１１ｂ    ：側面壁
１１ｃ    ：ネジ挿通孔
１２      ：凹陥部
１３      ：掛止ピン
１４      ：ネジ
１５      ：ネジ
２５      ：回転軸
２９      ：カップ
３０      ：リンク機構
３１      ：メインアーム
３２      ：連結アーム
３５      ：ステー
３６      ：ネジ
４０      ：カバー上面壁
４０ａ    ：切欠部
４１      ：カバー下面壁
４１ａ    ：切欠部
４２      ：カバー側面壁
４２ａ    ：ネジ挿通孔
４３      ：カバー側面壁
４４      ：カバー正面壁
４４ａ    ：通気孔
４５      ：仕切壁
４６      ：ネジ
５０      ：目隠し部材
５１      ：通気孔
５２      ：爪
５３      ：凹部
５４      ：フィルタ
６０      ：遮蔽部材
６１      ：正面壁
６２      ：側面壁
６３      ：側面壁
６４      ：通気孔
６５      ：回転軸
６６      ：操作ツマミ
６７      ：位置規制ピン
６８      ：位置規制ピン
７０      ：遮蔽部材
７１      ：正面壁
７２      ：側面壁
７３      ：側面壁
７４      ：通気孔
７５      ：回転軸
７６      ：ワイヤ取付部
８０      ：ドアノブ連動手段（連動手段）
８１      ：ワイヤ
８２      ：プーリ
８２ａ    ：軸
８３      ：プーリ
８４      ：ドアノブ
８５      ：ワイヤ取付部
９０      ：遮蔽部材
９１      ：回転軸
９２      ：磁石（保持手段）
１０１    ：ドア開口部
１０２    ：上枠
１０３    ：縦枠
１０４    ：ドア
１０４ａ  ：通気孔
１０５    ：ヒンジ
１０６    ：取付板
１０７    ：取付板
１２０    ：室外
１２１    ：室内
Ａ        ：通気部
Ｂ        ：通気部
Ｃ        ：通気部
【図１】
0006278946.tif 000002
【図２】
0006278946.tif 000003
【図３】
0006278946.tif 000004
【図４】
0006278946.tif 000005
【図５】
0006278946.tif 000006
【図６】
0006278946.tif 000007
【図７】
0006278946.tif 000008
【図８】
0006278946.tif 000009
【図９】
0006278946.tif 000010
【図１０】
0006278946.tif 000011
【図１１】
0006278946.tif 000012
【図１２】
0006278946.tif 000013
【図１３】
0006278946.tif 000014
【図１４】
0006278946.tif 000015